(57)【要約】      （修正有）【課題】利便性及び使用状態における靴紐を含んだ外観性をより向上させた靴紐用留め具を提供する。【解決手段】靴紐Ｒにおける靴からの左右の延出部Ｒａの通し部２をそれぞれ備えると共に、前記通し部２に通された前記延出部Ｒａに対し任意の位置で留めつくように構成された結び目代替部材１と、左右の前記延出部Ｒａにおける前記結び目代替部材１より延び出す余長部分Ｒｂを一緒に通過させると共に、通過された前記余長部分Ｒｂに対し任意の位置で留めつくように構成された紐纏め部材９とを備える。前記結び目代替部材１に、前記紐纏め部材９に左右の前記延出部Ｒａの余長部分Ｒｂを一緒に通過させた状態において、前記紐纏め部材９内にはめ込まれるはめ込み部８を備えさせてなる。【選択図】図１
2020081440.tif 000002
【特許請求の範囲】
【請求項１】
靴紐における靴からの左右の延出部の通し部をそれぞれ備えると共に、前記通し部に通された前記延出部に対し任意の位置で留めつくように構成された結び目代替部材と、
左右の前記延出部における前記結び目代替部材より延び出す余長部分を一緒に通過させると共に、通過された前記余長部分に対し任意の位置で留めつくように構成された紐纏め部材とを備え、
前記結び目代替部材に、前記紐纏め部材に左右の前記延出部の余長部分を一緒に通過させた状態において、前記紐纏め部材内にはめ込まれるはめ込み部を備えさせてなる、靴紐用留め具。
【請求項２】
前記結び目代替部材の前記はめ込み部を、前記結び目代替部材から靴のつま先側に向けて延びる軸状体としてなる、請求項１に記載の靴紐用留め具。
【請求項３】
前記紐纏め部材を、弾性変形可能な材料から構成されたスリーブ状体としてなる、請求項２に記載の靴紐用留め具。
【請求項４】
前記紐纏め部材となる前記スリーブ状体内に隆起部を形成させると共に、前記結び目代替部材の前記はめ込み部となる前記軸状体の先端側に係合突部を形成させてなる、請求項３に記載の靴紐用留め具。
【請求項５】
靴紐における靴からの左右の延出部の通し部をそれぞれ備えると共に、前記通し部に通された前記延出部に対し任意の位置で留めつくように構成された結び目代替部材と、
左右の前記延出部における前記結び目代替部材より延び出す余長部分を一緒に通過させると共に、通過された前記余長部分に対し任意の位置で留めつくように構成された紐纏め部材とを備え、
前記紐纏め部材の外側に、前記結び目代替部材に備えられた被係合部に対する係合部を形成させてなる、靴紐用留め具。
【請求項６】
前記係合部を、前記紐纏め部材における前記余長部分の通過方向に交叉する向きに前記紐纏め部材から突き出す軸状体とさせてなる、請求項５に記載の靴紐用留め具。
【請求項７】
前記被係合部を、前記結び目代替部材から靴のつま先側に向けて突き出す舌片部に形成させた貫通穴とさせてなる、請求項５に記載の靴紐用留め具。
【請求項８】
前記結び目代替部材は、
左右両端をそれぞれ開放させると共に、この左右両端間に位置される表裏の側部にそれぞれ、前記通し部を構成する左側の前記延出部の通し穴と右側の前記延出部の通し穴とを備えたケースと、
前記ケース内に左右方向にスライド移動可能に収められると共に、前記通し部を構成する左側の前記延出部の通し穴を備えた左側スライド部材と、
前記ケース内に左右方向にスライド移動可能に収められると共に、前記通し部を構成する右側の前記延出部の通し穴を備えた右側スライド部材と、
前記左側スライド部材と前記右側スライド部材との間にあって、前記ケースの左端から前記左側スライド部材の一部が突き出し、かつ、前記ケースの右端から前記右側スライド部材の一部が突き出すように、前記左側スライド部材と前記右側スライド部材とを連係させる弾性変形可能な連係部材とを備え、
前記ケースから突き出す前記左側スライド部材の一部と前記右側スライド部材の一部を利用して前記連係部材を弾性変形させて前記左側スライド部材と前記右側スライド部材間の距離を狭めることで、左右の前記通し部に左右の前記延出部をそれぞれ挿通可能としてなる、請求項１〜請求項７のいずれか１項に記載の靴紐用留め具。
【請求項９】
前記左側スライド部材と前記連係部材の左端、及び、前記右側スライド部材と前記連係部材の右端は、それぞれ一体化されていると共に、
前記左側スライド部材と前記右側スライド部材のいずれか一方に、前記ケースの前記通し穴に引っかかる抜け止め部を形成させてなる、請求項８に記載の靴紐用留め具。
【請求項１０】
請求項１〜請求項９のいずれか１項の靴紐用留め具と、靴紐よりなる、留め具つき靴紐。
【発明の詳細な説明】
【技術分野】
【０００１】
この発明は、靴の甲（アッパー）に備えられる靴紐（シューレース）における靴からの延出部に取り付けられて、この延出部に結び目を形成させなくても、靴紐が緩まないようにさせると共に、靴紐を緩める操作も容易に行うことができる靴紐用留め具、及びこれを含んで構成される留め具つき靴紐に関する。
【背景技術】
【０００２】
左右に紐の通し穴を備えたケース体内に、付勢手段の付勢に抗した所定の押し込み位置でこのケース体の左側の通し穴に連通する紐の通し空間を備えた左側のスライド体と、前記付勢手段の付勢に抗した所定の押し込み位置でこのケース体の右側の通し穴に連通する紐の通し空間を備えた右側のスライド体とを納めてなる紐の留め具として特許文献１に示されるものがある。
【０００３】
かかる留め具は、靴紐の留め具として利用可能である（特許文献１の図４８参照）。かかる留め具を靴紐の留め具として利用した場合、結び目を形成させなくても靴紐が緩まないようにすることができる。
【先行技術文献】
【特許文献】
【０００４】
【特許文献１】特開平１１−３３２６１７号公報
【発明の概要】
【発明が解決しようとする課題】
【０００５】
この発明が解決しようとする主たる問題点は、靴紐における靴からの延出部に取り付けられて、この延出部に結び目を形成させなくても、靴紐が緩まないようにさせる靴紐用留め具の利便性及び使用状態における靴紐を含んだ外観性をより向上させる点にある。
【課題を解決するための手段】
【０００６】
前記課題を達成するために、この発明にあっては、第一の観点から、靴紐用留め具を、靴紐における靴からの左右の延出部の通し部をそれぞれ備えると共に、前記通し部に通された前記延出部に対し任意の位置で留めつくように構成された結び目代替部材と、
左右の前記延出部における前記結び目代替部材より延び出す余長部分を一緒に通過させると共に、通過された前記余長部分に対し任意の位置で留めつくように構成された紐纏め部材とを備え、
前記結び目代替部材に、前記紐纏め部材に左右の前記延出部の余長部分を一緒に通過させた状態において、前記紐纏め部材内にはめ込まれるはめ込み部を備えさせてなる、ものとした。
【０００７】
靴紐の左右の延出部を結び目代替部材の通し部に通すことで靴紐に結び目を形成しなくても靴紐を締めた状態を維持することができる。左右の延出部の余長部分を紐纏め部材に一緒に通過させることで、この余長部分に紐纏め部材を留め付け、紐纏め部材を介して左右の延出部を纏めることができる。このようにした状態から、結び目代替部材のはめ込み部を紐纏め部材内に、紐纏め部材における延出部の導入側からはめ込むことで、結び目代替部材と紐纏め部材とを一体化させることができる。左右の延出部のうち、結び目代替部材と紐纏め部材との間に位置される中間部分は、結び目代替部材と紐纏め部材とを一体化させた状態において、ループ状になる。これにより、靴紐を蝶結びにしたときと同じような外観を作出することができる。また、靴紐はこのようにループ状になった左右の延出部の中間部分を引っ張ることで締めることができ、靴紐を締めるときに引っ張るべき部分を明確に認識させることができる。
【０００８】
前記結び目代替部材の前記はめ込み部を、前記結び目代替部材から靴のつま先側に向けて延びる軸状体としておくことが、この発明の形態の一つとされる。
【０００９】
また、前記紐纏め部材を、弾性変形可能な材料から構成されたスリーブ状体としておくことが、この発明の形態の一つとされる。
【００１０】
また、前記紐纏め部材となる前記スリーブ状体内に隆起部を形成させると共に、前記結び目代替部材の前記はめ込み部となる前記軸状体の先端側に係合突部を形成させておくことが、この発明の形態の一つとされる。
【００１１】
また、前記課題を達成するために、この発明にあっては、第二の観点から、靴紐用留め具を、靴紐における靴からの左右の延出部の通し部をそれぞれ備えると共に、前記通し部に通された前記延出部に対し任意の位置で留めつくように構成された結び目代替部材と、
左右の前記延出部における前記結び目代替部材より延び出す余長部分を一緒に通過させると共に、通過された前記余長部分に対し任意の位置で留めつくように構成された紐纏め部材とを備え、
前記紐纏め部材の外側に、前記結び目代替部材に備えられた被係合部に対する係合部を形成させてなる、ものとした。
【００１２】
靴紐の左右の延出部を結び目代替部材の通し部に通すことで靴紐に結び目を形成しなくても靴紐を締めた状態を維持することができる。左右の延出部の余長部分を紐纏め部材に一緒に通過させることで、この余長部分に紐纏め部材を留め付け、紐纏め部材を介して左右の延出部を纏めることができる。このようにした状態から、結び目代替部材の係合部を結び目代替部材の被係合部に係合させることで、結び目代替部材と紐纏め部材とを一体化させることができる。
【００１３】
前記係合部を、前記紐纏め部材における前記余長部分の通過方向に交叉する向きに前記紐纏め部材から突き出す軸状体とさせておくことが、この発明の形態の一つとされる。
【００１４】
また、前記被係合部を、前記結び目代替部材から靴のつま先側に向けて突き出す舌片部に形成させた貫通穴とさせておくことが、この発明の形態の一つとされる。
【００１５】
前記結び目代替部材は、
左右両端をそれぞれ開放させると共に、この左右両端間に位置される表裏の側部にそれぞれ、前記通し部を構成する左側の前記延出部の通し穴と右側の前記延出部の通し穴とを備えたケースと、
前記ケース内に左右方向にスライド移動可能に収められると共に、前記通し部を構成する左側の前記延出部の通し穴を備えた左側スライド部材と、
前記ケース内に左右方向にスライド移動可能に収められると共に、前記通し部を構成する右側の前記延出部の通し穴を備えた右側スライド部材と、
前記左側スライド部材と前記右側スライド部材との間にあって、前記ケースの左端から前記左側スライド部材の一部が突き出し、かつ、前記ケースの右端から前記右側スライド部材の一部が突き出すように、前記左側スライド部材と前記右側スライド部材とを連係させる弾性変形可能な連係部材とを備え、
前記ケースから突き出す前記左側スライド部材の一部と前記右側スライド部材の一部を利用して前記連係部材を弾性変形させて前記左側スライド部材と前記右側スライド部材間の距離を狭めることで、左右の前記通し部に左右の前記延出部をそれぞれ挿通可能とするものとしておくことが、この発明の形態の一つとされる。
【００１６】
また、前記左側スライド部材と前記連係部材の左端、及び、前記右側スライド部材と前記連係部材の右端は、それぞれ一体化されていると共に、
前記左側スライド部材と前記右側スライド部材のいずれか一方に、前記ケースの前記通し穴に引っかかる抜け止め部を形成させておくことが、この発明の形態の一つとされる。
【００１７】
また、前記課題を達成するために、この発明にあっては、第三の観点から、留め具つき靴紐を、前記靴紐用留め具と、靴紐よりなる、ものとした。
【発明の効果】
【００１８】
この発明によれば、靴紐における靴からの延出部に取り付けられて、この延出部に結び目を形成させなくても、靴紐が緩まないようにさせる靴紐用留め具の利便性及び使用状態における靴紐を含んだ外観性を効果的に向上させることができる。
【図面の簡単な説明】
【００１９】
【図１】図１は、この発明の一実施の形態にかかる靴紐用留め具（第一例）の使用状態を示した斜視構成図であり、靴を想像線で示し、また、シューレースホールの記載を省略している。
【図２】図２は、図１の状態における結び目代替部材および紐纏め部材の断面図であり、靴紐は想像線で示している。
【図３】図３は、図１の状態における結び目代替部材を、図２と９０度異なる位置で断面にして示している。
【図４】図４は、図１の状態から結び目代替部材に紐纏め部材を組み合わせて靴紐の延出部に左右のループ状の箇所を形成させた状態を示した斜視構成図である。
【図５】図５は、結び目代替部材（第一例）の正面図である。
【図６】図６は、結び目代替部材（第一例）の底面図である。
【図７】図７は、結び目代替部材（第一例）の側面図である。
【図８】図８は、図６におけるＡ−Ａ線位置での断面図である。
【図９】図９は、図５におけるＢ−Ｂ線位置での断面図である。
【図１０】図１０は、図５におけるＣ−Ｃ線位置での断面図である。
【図１１】図１１は、紐纏め部材（第一例）の正面図である。
【図１２】図１２は、紐纏め部材（第一例）の底面図である。
【図１３】図１３は、紐纏め部材（第一例）の側面図である。
【図１４】図１４は、図１４におけるＤ−Ｄ線位置での断面図である。
【図１５】図１５は、この発明の一実施の形態にかかる靴紐用留め具（第二例）の分離斜視図である。
【図１６】図１６は、前記靴紐用留め具（第二例）の正面図である。
【図１７】図１７は、前記靴紐用留め具（第二例）の底面図である。
【図１８】図１８は、前記靴紐用留め具（第二例）の右側面図である。
【図１９】図１９は、図１６におけるＥ−Ｅ線位置での断面図である。
【発明を実施するための形態】
【００２０】
以下、図１〜図１９に基づいて、この発明の典型的な実施の形態について、説明する。この実施の形態にかかる靴紐用留め具は、靴の甲（アッパー）に備えられる靴紐Ｒ（シューレース）における靴からの延出部Ｒａに取り付けられて、この延出部Ｒａに結び目を形成させなくても、靴紐Ｒが緩まないようにさせると共に、靴紐Ｒを緩める操作も容易に行うことができるようにするものである。
【００２１】
かかる靴紐用留め具は、結び目代替部材１と、紐纏め部材９とから構成される。かかる靴紐用留め具と靴紐Ｒとから留め具つき靴紐を構成することができる。
【００２２】
結び目代替部材１は、靴紐Ｒにおける靴Ｓからの左右の延出部Ｒａの通し部２をそれぞれ備えると共に、前記通し部２に通された前記延出部Ｒａに対し任意の位置で留めつくように構成されている。なお、本明細書において、左右は、靴Ｓをつま先Ｓｂ側から見たときの左右を意味している。
【００２３】
前記延出部Ｒａは、典型的には、靴紐Ｒにおける、靴Ｓの甲Ｓａに備えられたシューレースホールのうちの、靴紐Ｒが通されているシューレースホール、つまり、利用されているシューレースホールにおける最も上側に位置されるシューレースホールから引き出されている靴紐Ｒの端末側を意味する。靴紐Ｒを緩めた場合、前記延出部Ｒａは短くなり、一方、靴紐Ｒを締めた場合、前記延出部Ｒａは長くなることとなる。
【００２４】
この実施の形態にあっては、前記結び目代替部材１は、ケース３と、左側スライド部材４と、右側スライド部材５と、連係部材６とを備えてなる。
【００２５】
ケース３は、左右両端３ｄ、３ｅをそれぞれ開放させると共に、この左右両端３ｄ、３ｅ間に位置される表裏の側部３ａ、３ｂにそれぞれ、前記通し部２を構成する左側の前記延出部Ｒａの通し穴２ａと右側の前記延出部Ｒａの通し穴２ａとを備えてなる。
【００２６】
図示の例では、ケース３は、左右方向ｘに長く、表裏の側部３ａ、３ｂを幅広に構成し、かつ、表裏の側部３ａ、３ｂ間を厚さ側の側部３ｃとした扁平な角筒状体に対し、前記通し穴２ａを形成させてなる。通し穴２ａは、左右方向ｘに長い。表裏の側部３ａ、３ｂの長さ方向中程の位置を挟んだ左側と右側とにそれぞれ、通し穴２ａが形成されている。表裏の側部３ａ、３ｂの通し穴２ａは同寸、同形で、かつ、ケース３を正面視した状態において、表側に位置される側部３ａの通し穴２ａの穴縁と裏側に位置される側部３ｂの通し穴２ａの穴縁とが重なり合うように形成されている。なお、図示の例では、ケース３の裏側の側部３ｂは靴Ｓの甲Ｓａに接するのでフィットし易いように、左右方向ｘ中程の位置を湾曲中心とするようにその外面を緩やかに湾曲させている。ケース３の表側の側部３ａも裏側の側部３ｂに倣うようにその外面を湾曲させている。
【００２７】
左側スライド部材４は、前記ケース３内に左右方向ｘにスライド移動可能に収められると共に、前記通し部２を構成する左側の前記延出部Ｒａの通し穴２ｂを備えている。
【００２８】
図示の例では、左側スライド部材４は、実質的に四角形の板状体に対し、前記通し穴２ｂを形成させてなる。左側スライド部材４は、そのスライド移動方向の寸法を前記ケース３の長さ方向中程の位置から左端３ｄまでの距離よりも小さくすると共に、そのスライド移動方向に直交する向きの寸法を前記ケース３の一対の厚さ側の側部３ｃの内面間の距離と実質的に等しくし、かつ、その厚さを前記ケース３の表裏の側部３ａ、３ｂの内面間の距離と実質的に等しくさせている。左側スライド部材４の通し穴２ｂは、左側スライド部材４を表裏方向に貫通するように形成されていると共に、ケース３の左側の通し穴２ａよりもスライド移動方向の寸法を小さくする一方で、このスライド移動方向に直交する向きの寸法をやや大きくさせている。
【００２９】
右側スライド部材５は、前記ケース３内に左右方向ｘにスライド移動可能に収められると共に、前記通し部２を構成する右側の前記延出部Ｒａの通し穴２ｃを備えている。
【００３０】
図示の例では、右側スライド部材５は、実質的に四角形の板状体に対し、前記通し穴２ｃを形成させてなる。右側スライド部材５は、そのスライド移動方向の寸法を前記ケース３の長さ方向中程の位置から右端３ｅまでの距離よりも小さくすると共に、そのスライド移動方向に直交する向きの寸法を前記ケース３の一対の厚さ側の側部３ｃの内面間の距離と実質的に等しくし、かつ、その厚さを前記ケース３の表裏の側部３ａ、３ｂの内面間の距離と実質的に等しくさせている。右側スライド部材５の通し穴２ｃは、右側スライド部材５を表裏方向に貫通するように形成されていると共に、ケース３の右側の通し穴２ａよりもスライド移動方向の寸法を小さくする一方で、このスライド移動方向に直交する向きの寸法をやや大きくさせている。
【００３１】
連係部材６は、前記左側スライド部材４と前記右側スライド部材５との間にあって、前記ケース３の左端３ｄから前記左側スライド部材４の一部が突き出し、かつ、前記ケース３の右端３ｅから前記右側スライド部材５の一部が突き出すように、前記左側スライド部材４と前記右側スライド部材５とを連係させており、弾性変形可能な構成となっている。
【００３２】
図示の例では、左側スライド部材４と、右側スライド部材５と、連係部材６とは、一体化された合成樹脂の成形品としての可動パーツ７となっている。
【００３３】
図示の例では、連係部材６は、帯左端６ｂを左側スライド部材４に一体化させ、かつ、帯右端６ｃを右側スライド部材５に一体化させると共に、この帯左端６ｂと帯右端６ｃとの間において二カ所で屈曲された帯状を呈している。具体的には、連係部材６は、ケース３の筒軸ｙ（図２参照）を挟んだ一方側に位置される屈曲部６ａと、他方側に位置される屈曲部６ａとを備えており、連係部材６は前記筒軸ｙを中心とした蛇行形状を持つように構成されている。また、連係部材６は、ケース３の表裏の側部３ａ、３ｂの内面間の距離と実質的に等しい幅を持った帯状であり、この帯の幅方向をケース３の厚さ方向に沿わせるようにして左側スライド部材４と右側スライド部材５との間に形成されている。また、連係部材６の左端６ｂは、左側スライド部材４におけるケース３内に位置される部分であって前記筒軸ｙを挟んだ一方側の隅部に一体化されている。また、連係部材６の右端６ｃは、右側スライド部材５におけるケース３内に位置される部分であって前記筒軸ｙを挟んだ他方側の隅部に一体化されている。このように構成される連係部材６によって、左側スライド部材４の一部がケース３の左端３ｄから突き出し、右側スライド部材５の一部がケース３の右端３ｅから突き出した状態で、ケース３に対して可動パーツ７が組み合わされている。
【００３４】
また、この実施の形態にあっては、前記左側スライド部材４と前記右側スライド部材５のいずれか一方に、図示の例では右側スライド部材５に、前記ケース３の前記通し穴２ａに引っかかる抜け止め部５ａを形成させている。図示の例では、右側スライド部材５と連係部材６の右端６ｃとの連接箇所に、右側スライド部材５の板面に直交する向きに突き出す突起状の抜け止め部５ａが右側スライド部材５の表裏においてそれぞれ形成されている。表裏の抜け止め部５ａの突き出し端間の距離はケース３の表裏の側部３ａ、３ｂの内面間の距離よりもやや大きくなっている。図示の例では、ケース３内への可動パーツ７の差し入れによる両者の組み合わせに際し、ケース３内への抜け止め部５ａの進入を主としてケース３側の弾性変形により許容させ、抜け止め部５ａがケース３の右側の通し穴２ａに入り込んだ差し入れ位置でのケース３側の弾性復帰により両者の組み合わせ状態を維持するようにしている。
【００３５】
そして、この実施の形態にあっては、前記ケース３から突き出す前記左側スライド部材４の一部と前記右側スライド部材５の一部を利用して前記連係部材６を弾性変形させて前記左側スライド部材４と前記右側スライド部材５間の距離を狭めることで、左右の前記通し部２に左右の前記延出部Ｒａをそれぞれ挿通できるようにしている。
【００３６】
左側スライド部材４のケース３から突き出した一部と、右側スライド部材５のケース３から突き出した一部とを同時にケース３内に押し込むようにして結び目代替部材１を片手で持つことで、ケース３の左側の通し穴２ａと左側スライド部材４の通し穴２ｂとの連通範囲、及び、ケース３の右側の通し穴２ａと右側スライド部材５の通し穴２ｃとの連通範囲を拡大して、結び目代替部材１の左右の前記通し部２に左右の前記延出部Ｒａをそれぞれ抵抗少なく挿通することができる。
【００３７】
図３に示されるように、この実施の形態にあっては、ケース３の裏側からケース３の左側の通し穴２ａを通じて左側スライド部材４と連係部材６の左側の屈曲部６ａとの間を通過してケース３の表側に引き出された左側の延出部Ｒａを前記のように左側スライド部材４を押し込むことで左側スライド部材４の通し穴２ｂとケース３の左側の通し穴とを通じて再びケース３の裏側に引き出すようにして左側の延出部Ｒａに結び目代替部材１を留め付けることができる。左側の延出部Ｒａは左側スライド部材４の右辺部４ａに掛け回された状態で、連係部材６の付勢力により左側スライド部材４とケース３との間に挟持される。
【００３８】
また、ケース３の裏側からケース３の右側の通し穴２ａを通じて右側スライド部材５と連係部材６の右側の屈曲部６ａとの間を通過してケース３の表側に引き出された右側の延出部Ｒａを前記のように右側スライド部材５を押し込むことで右側スライド部材５の通し穴２ｃとケース３の右側の通し穴２ａとを通じて再びケース３の裏側に引き出すようにして右側の延出部Ｒａに結び目代替部材１を留め付けることができる。右側の延出部Ｒａは右側スライド部材５の左辺部５ｂに掛け回された状態で、連係部材６の付勢力により右側スライド部材５とケース３との間に挟持される。
【００３９】
靴紐Ｒを締めるときは、左右の前記延出部Ｒａにおける前記結び目代替部材１より延び出す余長部分Ｒｂを引っ張る。すなわち、図３及び図４に符号ｆ１で示す向きに余長部分Ｒｂを引っ張ると、左側スライド部材４及び右側スライド部材５は連係部材６を弾性変形させながら両者間の距離を狭める向きにやや移動して延出部Ｒａに対する留め付け力を低下させるようになっている。
【００４０】
靴紐Ｒを緩めるときは、左側スライド部材４及び右側スライド部材５を一緒に押し込むようにして結び目代替部材１を持ち、結び目代替部材１を靴から引き離す。すなわち、図３に符号ｆ２で示す向きに結び目代替部材１を移動させる。
【００４１】
また、図１〜図１４に示される第一例にあっては、前記結び目代替部材１は、前記紐纏め部材９に左右の前記延出部Ｒａの余長部分Ｒｂを一緒に通過させた状態において、前記紐纏め部材９内にはめ込まれるはめ込み部８を備えている。
【００４２】
図示の例では、前記はめ込み部８は、前記ケース３の長さ方向中程の位置から靴Ｓのつま先Ｓｂ側に向けて延びる軸状体となっている。図示の例では、はめ込み部８は、その一端をケース３の一対の厚さ側の側部３ｃのうち、靴Ｓのつま先Ｓｂ側に位置される厚さ側の側部３ｃの外面に一体化させて、前記ケース３の長さ方向中程の位置からケース３の筒軸ｙに直交する向きに突き出している。はめ込み部８の左側面８ｂ及びはめ込み部８の右側面８ｃは、はめ込み部８の先端８ｆにおいて鋭角を形成するように交わっている。はめ込み部８の左側面８ｂ及びはめ込み部８の右側面８ｃはそれぞれ、はめ込み部８の先端８ｆから離れるに従ってはめ込み部８の左右寸法を漸増させる傾斜部８ｄと、この傾斜部８ｄの終端により形成される頂部８ｅとを持ち、これにより、はめ込み部８となる前記軸状体の先端側に係合突部８ａが形成されている。
【００４３】
一方、紐纏め部材９は、左右の前記延出部Ｒａにおける前記結び目代替部材１より延び出す余長部分Ｒｂを一緒に通過させると共に、通過された前記余長部分Ｒｂに対し任意の位置で留めつくように構成されている。
【００４４】
この実施の形態にあっては、紐纏め部材９は、弾性変形可能な材料から構成されたスリーブ状体となっている。かかるスリーブ状体は、典型的には、ゴム状弾性を備えたプラスチック（プラスチックエラストマー）から構成される。
【００４５】
図示の例では、紐纏め部材９は、筒両端を共に開放させた角筒状を呈している。紐纏め部材９の筒軸方向中程の位置には、隆起部９ａが形成されている。図示の例では、隆起部９ａは、紐纏め部材９の左右の内壁部にそれぞれ形成されている。隆起部９ａは、紐纏め部材９の表裏（図１２における上下）の内壁部間に亘るリブ状を呈している。左右の隆起部９ａによって紐纏め部材９の内部に狭窄部が形成されている。また、図示の例では、隆起部９ａの表裏方向中程の位置には凹み９ｂが形成されており、左右の隆起部９ａ間の距離は表裏方向中程の位置でやや広くなっている。かかる左右の隆起部９ａ間には、紐纏め部材９を弾性変形させなければ靴紐Ｒの左右の延出部Ｒａを同時には通過させることができないようにしてある。すなわち、紐纏め部材９は、靴紐Ｒの左右の延出部Ｒａの通過を弾性変形によって許容するようになっている。
【００４６】
靴紐Ｒの左右の延出部Ｒａを結び目代替部材１の通し部２に通すことで靴紐Ｒに結び目を形成しなくても靴紐Ｒを締めた状態を維持することができる。左右の延出部Ｒａの余長部分Ｒｂを紐纏め部材９に一緒に通過させることで、この余長部分Ｒｂに紐纏め部材９を留め付け、紐纏め部材９を介して左右の延出部Ｒａを纏めることができる。このようにした状態から、結び目代替部材１のはめ込み部８を紐纏め部材９内に、紐纏め部材９における延出部Ｒａの導入側から紐纏め部材９を弾性変形させながらはめ込むことで、結び目代替部材１と紐纏め部材９とを一体化させることができる。このはめ込みは、はめ込み部８の先端８ｆ側の傾斜部８ｄによりスムースに行えるようになっている。結び目代替部材１のはめ込み部８には係合突部８ａが形成されており、紐纏め部材９には隆起部９ａが形成されていることから、この隆起部９ａを係合突部８ａが乗り越える位置まで紐纏め部材９内にはめ込み部８を差し込むことにより結び目代替部材１と紐纏め部材９とを安定的に一体化させることができる。図４に示されるように、左右の延出部Ｒａのうち、結び目代替部材１と紐纏め部材９との間に位置される中間部分Ｒｃは、結び目代替部材１と紐纏め部材９とを一体化させた状態において、ループ状になる。これにより、靴紐Ｒを蝶結びにしたときと同じような外観を作出することができる。また、靴紐Ｒはこのようにループ状になった左右の延出部Ｒａの中間部分Ｒｃを引っ張ることで締めることができ、靴紐Ｒを締めるときに引っ張るべき部分を明確に認識させることができる。
【００４７】
図１５〜図１９は、前記紐纏め部材９の外側に、前記結び目代替部材１に備えられた被係合部１１に対する係合部１０を形成させるようにした、靴紐用留め具の第二例を示している。この第二例では、結び目代替部材１を構成するケース３に、前記第一例のはめ込み部８に代えて被係合部１１が形成されている。この第二例における結び目代替部材１のその余の構成は第一例と実質的に同一であるので、同一の構成部分については第一例を示した図１〜図１４で用いた符号と同一の符号を図１５〜図１９に付してその説明は省略する。また、この第二例における紐纏め部材９の係合部１０以外の構成は第一例と実質的に同一であるので、同一の構成部分については第一例を示した図１〜図１４で用いた符号と同一の符号を図１５〜図１９に付してその説明は省略する。
【００４８】
この第二例にあっても、靴紐Ｒの左右の延出部Ｒａを結び目代替部材１の通し部２に通すことで靴紐に結び目を形成しなくても靴紐Ｒを締めた状態を維持することができる。左右の延出部Ｒａの余長部分Ｒｂを紐纏め部材９に一緒に通過させることで、この余長部分Ｒｂに紐纏め部材９を留め付け、紐纏め部材９を介して左右の延出部Ｒａを纏めることができる。このようにした状態から、結び目代替部材１の係合部１０を結び目代替部材１の被係合部１１に係合させることで、結び目代替部材１と紐纏め部材９とを一体化させることができる。
【００４９】
この実施の形態にあっては、前記係合部１０は、前記紐纏め部材９における前記余長部分Ｒｂの通過方向ｚ（図１５参照）に交叉する向きに前記紐纏め部材９から突き出す軸状体１０ａとなっている。より具体的には、前記軸状体１０ａは、紐纏め部材９の裏側の外壁に一端を一体に連接させて、紐纏め部材９の筒軸に直交する向きにこの外壁から突き出している。図示の例では、軸状体１０ａはその突き出し方向に亘るいずれの位置においても横断面形状を実質的に円形とするように構成されている。軸状体１０ａの他端には、頭部１０ｂが形成され、この頭部１０ｂと軸状体１０ａの一端との間が頸部１０ｃとなっている。頭部１０ｂは頸部１０ｃとの間の段差としての周回顎部１０ｄを有すると共に、この周回顎部１０ｄと反対の側の頂部を円錐台状部１０ｅとし、頸部１０ｃと円錐台状部１０ｅとの間を最も外径を太くする最大径部１０ｆとしている。
【００５０】
一方、この実施の形態にあっては、前記被係合部１１は、前記結び目代替部材１から靴Ｓのつま先Ｓｂ側に向けて突き出す舌片部１１ａに形成させた貫通穴１１ｂとなっている。図示の例では、舌片部１１ａは、上辺部１１ｃと下辺部１１ｄと左右の側辺部１１ｅとを備えた板状を呈し、その上辺部１１ｃをケース３の一対の厚さ側の側部３ｃのうち、靴Ｓのつま先Ｓｂ側に位置される厚さ側の側部３ｃの外面に一体化させて、前記ケース３の長さ方向中程の位置からケース３の筒軸ｙに直交する向きに突き出している。舌片部１１ａの厚さは、ケース３の厚さ側の側部３ｃの厚みと等しくなっている。図示の例では、貫通穴１１ｂはこの舌片部１１ａを表裏に貫通する円形の穴となっている。貫通穴１１ｂの内径は、前記軸状体１０ａの頸部１０ｃの径と実質的に等しく、かつ、頭部１０ｂの最大径部１０ｆの径よりもやや小さくなっている。
【００５１】
この第二例にあっては、ケース３の表側から貫通穴１１ｂに軸状体１０ａを押し込む操作をすると、ケース３の舌片部１１ａ側及び軸状体１０ａ側の双方又はいずれか一方の弾性変形によって貫通穴１１ｂに軸状体１０ａを挿通できるようになっている。前記円錐台状部１０ｅの傾斜した周面によってこの挿通の円滑化が図られる。この挿通をしきった状態においては、ケース３の裏側において貫通穴１１ｂの穴縁部に頭部１０ｂの顎部が引っかかり、これにより結び目代替部材１と紐纏め部材９とは結び目代替部材１の表側において紐纏め部材９を突出させるようにした状態で一体化される（図１９）。結び目代替部材１と紐纏め部材９とが一体化された状態から、貫通穴１１ｂから軸状体１０ａを抜き出させる向きに紐纏め部材９を引っ張ることで前記弾性変形を再び生じさせて結び目代替部材１から紐纏め部材９を分離できるようになっている。
【００５２】
なお、当然のことながら、本発明は以上に説明した実施態様に限定されるものではなく、本発明の目的を達成し得るすべての実施態様を含むものである。
【符号の説明】
【００５３】
Ｒ  靴紐
Ｒａ  延出部
Ｒｂ  余長部分
１  結び目代替部材
２  通し部
８  はめ込み部
９  紐纏め部材
【図１】
2020081440.tif 000003
【図２】
2020081440.tif 000004
【図３】
2020081440.tif 000005
【図４】
2020081440.tif 000006
【図５】
2020081440.tif 000007
【図６】
2020081440.tif 000008
【図７】
2020081440.tif 000009
【図８】
2020081440.tif 000010
【図９】
2020081440.tif 000011
【図１０】
2020081440.tif 000012
【図１１】
2020081440.tif 000013
【図１２】
2020081440.tif 000014
【図１３】
2020081440.tif 000015
【図１４】
2020081440.tif 000016
【図１５】
2020081440.tif 000017
【図１６】
2020081440.tif 000018
【図１７】
2020081440.tif 000019
【図１８】
2020081440.tif 000020
【図１９】
2020081440.tif 000021